(57)【要約】【課題】落書きの除去を簡単な作業で行うことができ、かつ作業環境が良好な落書きの除去方法を提供する。【解決手段】落書き塗料に対して剥離性のある材料で構成された表面層を予め構造物の基材の表面に形成し、該表面層上に塗着された落書き塗料を該表面層から離脱させることによって落書きを除去する落書きの除去方法であって、前記落書き塗料が塗着された表面層上に、水溶性高分子と界面活性剤とを含有するとともに落書き塗料を膨潤させうる程度の量の溶剤を含有した接着剤を介して、該接着剤中の水溶性高分子が浸透しうる素材からなる剥離用シートを載置し、その後、該剥離用シートを前記表面層から剥離して、前記落書き塗料を前記表面層から離脱させるとともに、該落書き塗料を前記接着剤を介して剥離用シート側に移行させることにより、落書きを除去することを特徴とする落書きの除去方法。【選択図】　　　　　図５
2004026966.tif 000002
【特許請求の範囲】
【請求項１】
落書き塗料に対して剥離性のある材料で構成された表面層を予め構造物の基材の表面に形成し、該表面層上に塗着された落書き塗料を該表面層から離脱させることによって落書きを除去する落書きの除去方法であって、前記落書き塗料が塗着された表面層上に、水溶性高分子と界面活性剤とを含有するとともに落書き塗料を膨潤させうる程度の量の溶剤を含有した接着剤を介して、該接着剤中の水溶性高分子が浸透しうる素材からなる剥離用シートを載置し、その後、該剥離用シートを前記表面層から剥離して、前記落書き塗料を前記表面層から離脱させるとともに、該落書き塗料を前記接着剤を介して剥離用シート側に移行させることにより、落書きを除去することを特徴とする落書きの除去方法。
【請求項２】
落書き塗料に対して剥離性のある材料で構成された表面層を予め構造物の基材の表面に形成し、該表面層上に塗着された落書き塗料を該表面層から離脱させることによって落書きを除去する落書きの除去方法であって、前記落書き塗料が塗着された表面層上に、水溶性高分子と界面活性剤とを含有するとともに落書き塗料を膨潤させうる程度の量の溶剤を含有した接着剤を塗着し、次に該接着剤中の水溶性高分子が浸透しうる素材からなる剥離用シートを、前記接着剤上に載置し、その後、該剥離用シートを前記表面層から剥離することで、前記落書き塗料を前記表面層から離脱させるとともに、該落書き塗料を前記接着剤を介して剥離用シート側に移行させることにより、落書きを除去することを特徴とする落書きの除去方法。
【請求項３】
前記剥離用シートの素材が繊維状物質である請求項１又は２に記載の落書きの除去方法。
【請求項４】
前記繊維状物質が新聞紙である請求項３に記載の落書きの除去方法。
【発明の詳細な説明】
【０００１】
【発明の属する技術分野】
本発明は、建築物や構築物の外壁や内壁、橋脚、橋桁、トンネル等の道路構造物の表面、街灯のポールやガードレール等の道路付帯設備の表面、配電盤、分電盤の表面等、構造物の表面になされた落書きの除去方法に関する。
【０００２】
【従来の技術】
従来より、各種構造物の表面には、いたずらによって、ラッカーや油性マーカー等によって落書きがされることがあり、これを除去するために種々の手段が講じられている。
【０００３】
たとえば、落書きを擦って拭き取る方法があるが、このような作業は大変な労力と時間を要する。
【０００４】
そこで、このような多大な労力を軽減するため、特開平１１−１３１０２２号公報記載の発明もなされている。すなわちこの特開平１１−１３１０２２号公報には、構造物の基材の表面に、シリコーン樹脂塗料からなる難接着性の表面層を形成し、その表面層に落書きがされたときに、可剥離性塗料を塗布して可剥離層を形成し、可剥離層が硬化した後、可剥離層を表面層から剥離することによって、表面層の表面から落書きを除去する方法が開示されている。
【０００５】
この方法は、可剥離層を表面層から剥離するだけで落書きを除去することができるため、落書きの除去作業自体は容易である。
【０００６】
【発明が解決しようとする課題】
しかし、前記可剥離性塗料として使用される樹脂系塗料は水溶性でないため、該塗料の塗布に際して、人体に有害な揮発性有機溶剤の使用を余儀なくされている。従って塗布時に有機溶剤が揮発するため、作業環境が悪いという問題がある。
【０００７】
そこで本発明は、従来の問題点に鑑み、落書きの除去を簡単な作業で行うことができ、かつ作業環境が良好な落書きの除去方法を提供することを課題とする。
【０００８】
【課題を解決するための手段】
本発明は、このような課題を解決するためになされたものである。
即ち、本発明の落書き除去方法は、落書き塗料に対して剥離性のある材料で構成された表面層を予め構造物の基材の表面に形成し、該表面層上に塗着された落書き塗料を該表面層から離脱させることによって落書きを除去する落書きの除去方法であって、前記落書き塗料が塗着された表面層上に、水溶性高分子と界面活性剤とを含有するとともに落書き塗料を膨潤させうる程度の量の溶剤を含有した接着剤を介して、該接着剤中の水溶性高分子が浸透しうる素材からなる剥離用シートを載置し、その後、該剥離用シートを前記表面層から剥離して、前記落書き塗料を前記表面層から離脱させるとともに、該落書き塗料を前記接着剤を介して剥離用シート側に移行させることにより、落書きを除去することを特徴とする。
【０００９】
また、本発明の落書きの除去方法は、落書き塗料に対して剥離性のある材料で構成された表面層を予め構造物の基材の表面に形成し、該表面層上に塗着された落書き塗料を該表面層から離脱させることによって落書きを除去する落書きの除去方法であって、前記落書き塗料が塗着された表面層上に、水溶性高分子と界面活性剤とを含有するとともに落書き塗料を膨潤させうる程度の量の溶剤を含有した接着剤を塗着し、次に該接着剤中の水溶性高分子が浸透しうる素材からなる剥離用シートを、前記接着剤上に載置し、その後、該剥離用シートを前記表面層から剥離することで、前記落書き塗料を前記表面層から離脱させるとともに、該落書き塗料を前記接着剤を介して剥離用シート側に移行させることにより、落書きを除去することを特徴とする。
【００１０】
本発明の落書きの除去方法においては、前記剥離用シートの前記素材が繊維状物質であるのが好ましい。
【００１１】
本発明の落書きの除去方法においては、前記繊維状物質が新聞紙であるのが好ましい。
【００１２】
【発明の実施の形態】
以下、本発明の実施形態について、図面に従って説明する。
先ず、図１に示すように、構造物の基材１の表面に、落書き塗料に対して剥離性のあるシリコーン樹脂を塗布することによって、落書き塗料に対して剥離性のある表面層２を形成する。
【００１３】
該シリコーン樹脂塗料は、たとえば、末端シラノール基を有するメチルハイドロゲンポリシロキサン、メチルメトキシシラン、ジメチルポリシロキサン等を有機錫等の触媒の存在下で縮合して得られる。
【００１４】
このようにして形成された表面層２上に、図２に示すように、落書き塗料３で落書きがされれば、図３に示すように、落書き塗料３が塗着された表面層２上に、接着剤を塗着する。この接着剤４は、水溶性高分子であるデンプン糊を主成分として含有するとともに界面活性剤と溶剤とを含有したものである。
【００１５】
この場合において、落書き塗料３は一般に油溶性のものであるため、水溶性高分子を主成分とする接着剤４に本来親和性がなく、従って落書き塗料３は接着剤４に完全に溶解しているわけではない。しかし、接着剤４には、水溶性高分子の他に、界面活性剤と溶剤が含有されているため、溶剤が落書き塗料３に浸透し、落書き塗料３は膨潤した状態となる。
【００１６】
このようにして接着剤４を塗着した後、図４に示すように、接着剤４が乾燥、硬化する前に、剥離用シート５を接着剤４上に載置する。剥離用シート５としては、本実施形態では、新聞紙を用いている。これは、接着剤４に含有されているデンプン糊の新聞紙に対する浸透性、親和性が非常に良好だからである。
その後前記剥離用シート５を上面側から押圧する。上記のように、剥離用シート５を接着剤４を介して基材１側に押圧した後、図５に示すように、剥離用シート５を表面層３から剥離する。
【００１７】
この場合において、剥離用シート５は、水溶性高分子であるデンプン糊に対して浸透性、親和性のある新聞紙で構成されており、またこのデンプン糊は接着剤４に含有されている成分のうち主成分であるため、剥離用シート５を基材１側、すなわち表面層２側に押圧したとき、未だ乾燥、硬化していない状態の接着剤４は、剥離用シート５の素材である新聞紙を構成する紙の繊維間に浸透する。
従って、新聞紙を構成する紙の繊維間に浸透する結果、接着剤４は新聞紙からなる剥離用シート５に確実に保持される。
【００１８】
一方、表面層２は落書き塗料３に対して剥離性のあるシリコーン樹脂からなり、また該シリコーン樹脂は、接着剤４中のデンプン糊に対しても剥離性がある。
【００１９】
従って、紙の繊維間に浸透して剥離用シート５に確実に保持された状態の接着剤４と該剥離用シート５間の接着力が、剥離性のある表面層２と接着剤４間の接着力に比べて著しく大きいので、上記のように剥離用シート５を表面層２から剥離すると、上述のような接着力の差異によって表面層２と接着剤４間に層間剥離が生じ、それによって表面層２に塗着されていた接着剤４は剥離用シート５側に移行することとなる。
【００２０】
このとき、接着剤４中の溶剤が浸透して膨潤した落書き塗料３も、接着剤４とともに表面層２から剥離されて剥離用シート５側に移行することとなる。
【００２１】
ここで、落書き塗料３は、上述のように油溶性のものであり、水溶性高分子を主成分とする接着剤４に本来親和性のないものであるにもかかわらず、接着剤４とともに剥離用シート５側に移行する作用については定かではないが、一応次のように推定できる。
【００２２】
上述のように、落書き塗料３は、溶剤が浸透して膨潤した状態とされているものの、実際にはほとんど溶解していないと認められる。しかし、表面層２は、上記のようなシリコーン樹脂という剥離性素材からなるものであるため、接着剤４は表面層２上に存在しているものの、その接着剤４と表面層２との間の接着力は極めて小さく、接着されているというよりも単に載置されているだけの状態に近い。また、落書き塗料３と表面層２との間の接着力も同様に極めて小さいもので、単に載置されているだけの状態に近いものである。
従って、接着剤４中の溶剤が落書き塗料３に浸透し、落書き塗料３が膨潤した状態となれば、上述のように接着剤４が表面層２から剥離用シート５側に移行する際に、落書き塗料３も同様に表面層２から剥離用シート５側に移行するものと認められる。
上記のように落書き塗料３が接着剤４とともに表面層２から剥離用シート５側に移行する結果、落書きが基材１から除去されることとなるのである。
【００２３】
このように、本実施の形態の落書きの除去方法によれば、落書き塗料３に対して剥離性のある材料で表面層２を形成し、該表面層２に落書き塗料３が塗着された時、該落書き塗料３が塗着された表面層２に接着剤４を塗着し、次に剥離用シート５を前記接着剤４上に載置、押圧し、その後剥離用シート５を剥離するだけの簡単な作業で、落書き塗料３を構造物の表面から除去することができる。
しかも、接着剤４に含まれているデンプン糊は水溶性高分子であるため、その溶媒として水を使用することができ、また該接着剤４中に含まれている溶剤は落書き塗料３を膨潤させるのに必要な最小限の量しか含まれておらず、かつ水溶性高分子は溶剤の揮発を抑えることができるので、接着剤４中の溶剤の含有量は、極めて小さくすることができる。従って、落書きの除去作業中に人体に有害な有機溶媒の揮発を著しく抑えることができ、作業環境が極めて良好である。
【００２４】
尚、上記した実施形態では、落書き塗料３が塗着された表面層２上に接着剤４を塗着し、次に剥離用シート５を接着剤４上に載置し、押圧し、その後剥離用シート５を表面層２から剥離したが、他の実施形態として、例えば、予め剥離用シートに接着剤を塗着したものを落書き塗料が塗着された表面層に載置し、これを表面層に対して押圧し、その後剥離用シートを表面層から剥離して、前記落書き塗料を前記表面層から離脱させるとともに、該落書き塗料を前記接着剤を介して剥離用シート側に移行させることにより、落書きを除去する落書きの除去方法も挙げられる。
【００２５】
本発明の落書きの除去方法が適用される構造物の基材は特に限定されず、種々の鋼板、コンクリート、木材、これらに塗装が施されたもの等が挙げられる。
【００２６】
表面層を形成する材料としては、落書き塗料に対して剥離性のあるものであれば特に限定されず、前記したシリコーン樹脂を始めとするシリコン樹脂系塗料、ウレタン系塗料に水酸基をもつ反応性シリコーンオイル等を加えた塗料等を使用することができる。
【００２７】
本発明の落書きの除去方法において使用される接着剤に含有される水溶性高分子は、特に限定されず、デンプン糊の他、例えば、アラビアゴム、ポリビニルアルコール等が使用できる。
【００２８】
また、前記接着剤に含まれる界面活性剤も限定されず、アニオン界面活性剤、カチオン界面活性剤、非イオン界面活性剤、両性界面活性剤のいずれのものも使用でき、落書き塗料を溶解する溶剤も特に限定されず、例えば、シンナー、ベンジン等が使用できる。
【００２９】
接着剤中の水溶性高分子の配合量は特に限定されない。また、界面活性剤及び溶剤の配合量も特に限定されず、溶剤が浸透して落書き塗料が膨潤した状態となり、接着剤が表面層から剥離用シート側に移行する際に、落書き塗料も同様に表面層から剥離用シート側に移行することができるような量であればよい。
通常、水１００ｇに対して、水溶性高分子が１０〜３０ｇ、界面活性剤が１〜３ｇ、溶剤が０．５〜１ｇの範囲が好ましい。
【００３０】
本発明の落書きの除去方法で使用される剥離用シートは、前記接着剤中の水溶性高分子が浸透しうる素材であれば特に限定されない。
特に前述の新聞紙を始めとする紙類、織物、編物、不織布等の繊維状物質を使用すると、接着剤中の水溶性高分子が剥離用シート中の繊維の間に容易に浸透し、その結果、接着剤が剥離用シートに確実に保持されるため、落書きの除去作業がさらに容易になる。
なかでも新聞紙を使用すると、コスト面で有利であるばかりでなく、再資源の利用も可能になる。
【００３１】
また、構造物の基材と表面層との間の接着性を良好にするために、両層間にプライマー層を形成してもよい。
該プライマー層を形成する材料としては、例えば、水酸基含有シリコン樹脂とアクリルポリオールとイソシアネート樹脂との反応によって得られる塗料、シリコン変性アクリルポリオールとイソシアネート樹脂との反応によって得られる塗料、アルコキシシリル基含有アクリル樹脂と空気中の水分との反応によって得られる塗料、アミノ基含有アクリル樹脂とグリシジル基含有シランとの反応によって得られる塗料等のアクリルシリコン樹脂系塗料等が挙げられる。
該アクリルシリコン樹脂系塗料は、前記した溶剤縮合型シリコーン樹脂塗料との親和性が良好なので、このようなアクリルシリコン樹脂系塗料を用いると、表面層と基材とは、プライマー層を介して一体化されることとなる。
【００３２】
【発明の効果】
本発明の落書き除去方法は、落書き塗料に対して剥離性のある材料で表面層を形成し、該表面層に落書き塗料が塗着された時、該表面層に接着剤を介して剥離用シートを載置し、その後剥離用シートを剥離するだけの簡単な作業で、落書き塗料を構造物の表面から除去することができる。
しかも、接着剤に含まれている水溶性高分子は、溶媒として水を使用することができ、また該接着剤中に含まれている溶剤は、落書き塗料に該溶剤が浸透し落書き塗料を膨潤させるのに必要な最小限の量しか含まれておらず、かつ水溶性高分子は溶剤の揮発を抑えることができるので、接着剤中の溶剤の含有量を極めて小さくすることができる。従って、落書きの除去作業中に人体に有害な有機溶媒の揮発を著しく抑えることができ、作業環境が極めて良好である。
特に剥離用シートとして繊維状物質を使用すると、接着剤中の水溶性高分子が剥離用シート中の繊維の間に容易に浸透し、その結果、接着剤が剥離用シートに確実に保持されるため、落書きの除去作業がさらに容易になる。
さらに、繊維状物質として新聞紙を使用すると、コスト面で有利であるばかりでなく、再資源の利用も可能になる。
【図面の簡単な説明】
【図１】本発明の一実施の形態において、表面層が形成されている構造物の要部断面図。
【図２】本発明の一実施の形態において、表面層上に落書きが塗着された状態を表す要部断面図。
【図３】本発明の一実施の形態において、落書きが塗着された表面層上に接着剤が塗着された状態を表す要部断面図。
【図４】本発明の一実施の形態おいて、接着剤上に剥離用シートを載置した状態を表す要部断面図。
【図５】本発明の一実施の形態おいて、剥離用シートを表面層から剥離する状態を表す要部断面図。
【符号の説明】
１…基材、　２…表面層、　３…落書き塗料、　４…接着剤、　５…剥離用シート
【図１】
2004026966.tif 000003
【図２】
2004026966.tif 000004
【図３】
2004026966.tif 000005
【図４】
2004026966.tif 000006
【図５】
2004026966.tif 000007